(57)【特許請求の範囲】
【請求項１】
矩形断面の枠体内部をその長辺方向に仕切る複数の仕切壁のうちの一つを、相互間を切離した二枚重ねの板体から形成してなる仮締切工法用ボックス形鋼矢板であって、
前記二枚重ねの板体は、相反する一側縁部を合せ面に対する開き方向へ曲げた曲げ形状部としてそれぞれ形成し、該各曲げ形状部を相手側の前記枠体の内壁面に面接触させて溶接し、また、相反する他側縁部をそれぞれ平板形状として、相手側の前記枠体の内壁面に突合せて溶接することを特徴とする仮締切工法用ボックス形鋼矢板。
【請求項２】
二枚重ねの板体に隣接してその少なくとも片側に、前記仕切壁とは別の、枠体を補強する複数の補強部材を配設し、該補強部材は、その両端部が前記枠体を貫通して外側まで延ばされていることを特徴とする請求項１に記載の仮締切工法用ボックス形鋼矢板。
【発明の詳細な説明】
【０００１】
【発明の属する技術分野】
本発明は、水域を仮締切りして工事用エア空間をつくる仮締切工法に用いるボックス形鋼矢板に関する。
【０００２】
【従来の技術】
例えば、既設のダムに取水口を新たに設けて発電設備を増設する場合、既設のダム堤体の前方水域を止水壁により仮締切りして工事用エア空間をつくり出す必要があり、従来、このような目的で行われる仮締切工法として、特開平９−８８０４４号公報に記載されたものがある。
図５は、上記公報に記載の仮締切工法を示したもので、符号１にて示す止水壁は、ダム堤体２に対してアーチ形（半円形）に構築されて、開通すべき取水口３の前方水域Ｗを締切っている。この止水壁１は、水底に据付けた架台４に設けた導枠５に沿って鋼矢板を連続に打設することにより構築された二重矢板壁６とこの二重矢板壁６内に打設されたコンクリート層７とからなっており、この内部を排水することで、工事用エア空間Ｓが出現する。
【０００３】
このような仮締切工法において、上記二重矢板壁６は、図６に示されるように、ボックス形鋼矢板１０，１０…を剛結嵌合構造の継手１１を介して連結してなっている。このボックス形鋼矢板１０は、矩形断面の枠体１２の内部を複数の仕切板（仕切壁）１３によりその長辺方向に複数の室Ａ，Ａに分割した構造となっており、各室Ａ内に前記コンクリート層７が打設されている。ここで、前記仕切板１３のうちの一つは、相互間を切り離して重ねた二枚の板体１４，１５からなっており、ボックス形鋼矢板１０内のコンクリート層７は、この二枚重ねの板体１４と１５との間で縁切りされている。また、二枚重ねの板体１４，１５を除く他の仕切板１３には室Ａの相互間を連通する複数の連通孔（図示略）が、枠体１２の側板部１２ａにも複数の連通孔（図示略）がそれぞれ設けられており、これにより隣接するボックス形鋼矢板１０の相互間の、継手１１により閉じられた室Ｂ内も含めて、二重矢板壁６内のコンクリート層７は、隣接するボックス形鋼矢板１０内の二枚重ねの板体１４，１５の間で一体となっている。なお、継手１１は、縦方向のスリット１６ａを有する筒状のめす継手部材１６と、このめす継手部材１６に挿入可能な筒状のおす継手部材１７とからなっており、両者の間はモルタルなどの固結材により剛結されている。
【０００４】
このように構築された止水壁１は、そのコンクリート層７が、各ボックス形鋼矢板１０内の二枚重ねの板体１４と１５との間で縁切りされているので、両板体１４と１５との間で鋼矢板１０を縦方向に切断すれば、止水壁１は相隣接して打設された一方のボックス形鋼矢板１０内の一方の板体１４と他方のボックス形鋼矢板１０内の他方の板体１５との間で複数分割され、この分割されたブロック単位で簡単に解体することができるようになる。なお、この解体に際しては、隣接するボックス形鋼矢板１０の相互間で、止水壁１の内周側ではできるだけ狭い間隔となるように切断ラインL１，L１を設定し、一方、止水壁１の外周側ではできるだけ広い間隔となるように切断ラインL2，L2を設定することで（図６）、止水壁１の内側から外側へ横力Ｆを加えて、最初に切断された１つのブロックを簡単に取外すことができ、全体の解体を容易に行うことができる。
【０００５】
【発明が解決しようとする課題】
ところで、上記ボックス形鋼矢板１０内の二枚重ねの板体１４，１５は、上記した切断に際しての許容幅を持たせるため、図７にも示すように、それぞれ枠体１２の内壁面に溶接される両側縁部を合せ面から開き方向へ曲げた曲げ形状部１４ａ，１５ａとしていた。しかるに、この種のボックス形鋼矢板１０は、前記した二重矢板壁６の構築後におけるコンクリート打設に伴って大きな内圧を受けるようになっており、この内圧により二枚重ねの板体１４，１５に大きな引張力が作用し、この結果、その曲げ形状部１４ａ，１５ａが伸びて、ボックス形鋼矢板１０の枠体１２ひいては二重矢板壁６が変形してしまう虞があった。
なお、上記変形対策として、二枚重ねの板体１４，１５として板厚の厚いものを用いる考え方もあるが、この場合は、曲げ形状部１４ａ，１５ａの曲げ加工が困難となり、その加工に多大のコストがかかって、コスト負担が増大するという新たな問題が生じることになる。
本発明は、上記した技術的背景に鑑みてなされたもので、その課題とするところは、二枚重ねの板体の間における切断の許容幅をそれほど狭くすることなくかつコスト上昇を来すことなく強度を可及的に高め、もって仮締切工法の安定施工に寄与するボックス形鋼矢板を提供することにある。
【０００６】
【課題を解決するための手段】
本発明は、上記課題を解決するため、矩形断面の枠体内部をその長辺方向に仕切る複数の仕切壁のうちの一つを、相互間を切離した二枚重ねの板体から形成してなる仮締切工法用ボックス形鋼矢板であって、前記二枚重ねの板体は、相反する一側縁部を合せ面に対する開き方向へ曲げた曲げ形状部としてそれぞれ形成し、該各曲げ形状部を相手側の前記枠体の内壁面に面接触させて溶接し、また、相反する他側縁部をそれぞれ平板形状として、相手側の前記枠体の内壁面に突合せて溶接することを特徴とする。
このように構成したボックス形鋼矢板においては、内部の二枚重ねの板体が、相反する一側縁部のみを曲げ形状部としているので、コンクリート打設による引張力が作用してもその伸び量はわずかとなり、枠体の変形が抑制される。しかも、該二枚重ねの板体は、その相反する一側縁部の曲げ形状部を相手側の枠体の内壁面に面接触させて溶接しているので、止水壁の内周側および外周側に、切断に必要な所望の許容幅を確保することができる。
【０００７】
本発明は、二枚重ねの板体に隣接してその少なくとも片側に、前記仕切壁とは別の、枠体を補強する複数の補強部材を配設し、該補強部材は、その両端部が前記枠体を貫通して外側まで延ばすようにしてもよいもので、この場合は、枠体の変形が確実に防止される
【０００８】
【発明の実施の形態】
以下、本発明の実施の形態を添付図面に基づいて説明する。
図１乃至図３は、本発明に係る仮締切工法用ボックス形鋼矢板の１つの実施形態を示したものである。なお、本ボックス形鋼矢板の全体構造並びに本ボックス形鋼矢板を適用する仮締切工法は、前記図５および図６に基づいて説明した内容と変わりがないので、ここでは、図５および図６に示したものと同一部分には同一符号を付すこととする。
【０００９】
本ボックス形鋼矢板１０は、前記したと同様に矩形断面の枠体１２の内部をその長辺方向に仕切る複数の仕切壁（仕切板）１３のうちの一つを、相互間を切離した二枚重ねの板体２１，２２から形成している。しかして、この二枚重ねの板体２１，２２は、それぞれ枠体１２の内壁面に溶接される両側縁部のうち、相反する一方の側縁部を合せ面から開き方向へ曲げた曲げ形状部２１ａ，２２ａとしており、したがって、各板体２１，２２の相反する他方の側縁部は平板形状となっている。また、この二枚重ねの板体２１，２２は、それぞれの曲げ形状部２１ａ，２２ａを相手側の平板形状の側縁部に重合させるように重ねられており、したがって、枠体１２の内部には、前記止水壁１の内周側および外周側の双方に位置して、切断に供される所定幅ｗの空所２３（図２）が確保されている。なお、二枚重ねの板体２１，２２のそれぞれは、平板形状の側縁部を枠体１２の内壁面に突合せた状態で、かつ曲げ形状部２１ａ，２２ａを枠体１２の内壁面に面接触させた状態で溶接されている。
【００１０】
本実施の形態において、上記ボックス形鋼矢板１０の内部には、上記二枚重ねの板体２１，２２に隣接してその両側に、複数の補強部材２４，２５が配設されている。各補強部材２４，２５は、その両端部が枠体１２を貫通してその外側まで延ばされており、この状態で、その貫通部分が、枠体１２に対してその内・外から溶接されている。
【００１１】
本ボックス形鋼矢板１０を用いてダム堤体２の前方水域Ｗを仮締切りするには、前記したように水底に据付けた架台４の導枠５（図５）に沿って本ボックス形鋼矢板１０を相互に継手１１で連結しながら打設して二重矢板壁６を構築し、その後、この二重矢板壁６内にコンクリートを打設して止水壁１を完成させる。しかして、本ボックス形鋼矢板１０は、その内部の二枚重ねの板体２１，２２が一側縁部のみを曲げ形状部２１ａ，２２ａとしているので、これに前記コンクリート打設により引張力が作用しても、その伸び量はわずかとなり、枠体１２の変形が抑制される。しかも、本実施の形態においては、この二枚重ねの板体２１，２２に隣接して複数の補強部材２４，２５を配設しているので、枠体１２の変形がより確実に防止される。
【００１２】
一方、取水口３の開通工事終了後、止水壁１を解体する際は、そのコンクリート層７がボックス形鋼矢板１０内の二枚重ねの板体２１と２２との間で縁切りされているので、この二枚の板体２１と２２との間の空所２３（図２）に対応する箇所でボックス形鋼矢板１０を縦方向に切断すれば、相隣接して打設された一方のボックス形鋼矢板１０内の一方の板体２１と他方のボックス形鋼矢板１０内の他方の板体２２との間で複数分割された状態となり、この分割単位で簡単に解体することができる。
ところで、この解体に際しては、前記したように最初に切断したブロックを止水壁１の内側から外側へ横力Ｆを加えて取外すようにするのが、作業効率を高める上で有利となる。そこで、本実施の形態においては、図４に示したように、上記二枚重ねの板体２１，２２を180°反転配置した構造のボックス形鋼矢板１０Ａを別途用意し、このボックス形鋼矢板１０Ａを、相互に連結して打設する上記ボックス形鋼矢板１０の一つに代えて用いるようにする。これにより、ボックス形鋼矢板１０と１０Ａとの相互間で一方の板体１４の曲げ形状部１４ａが対向する形態となり、したがって、止水壁１の内周側における切断ラインL１，L１の間隔を、止水壁１の外周側における切断ラインL2，L2の間隔よりも狭く設定することが可能になる。すなわち、これら切断ラインL１、L2にそって切断された最初のブロックは、前記横力Ｆにより簡単に横方向へ取外すことができ、結果として効率よく止水壁１を解体することができるようになる。
【００１３】
なお、上記実施の形態においては、ダム堤体２の前方水域を仮締切りする仮締切工法への適用を示したが、本発明の適用範囲は任意であり、ダム湖以外の種々の仮締切工法に適用できることはもちろんである。
【００１４】
【発明の効果】
以上、詳細に説明したように、本発明に係る仮締切工法用ボックス形鋼矢板によれば、内部にコンクリートを打設しても二枚重ねの板体の伸びが抑えられるので、全体の変形が抑制され、仮締切工法の安定施工に大きく寄与するものとなる。また、止水壁の解体に際して行う切断の許容幅が十分確保されるので、止水壁解体の障害となることもない。しかも、板体の厚さを厚くする必要がないばかりか、側縁部の曲げ加工も半減するのでコスト的に有利となり、総じてその及ぼす効果は大なるものがある。
【図面の簡単な説明】
【図１】本発明に係る仮締切工法用ボックス形鋼矢板の要部構造を示す平面図である。
【図２】図１のＱ部を拡大して示す平面図である。
【図３】本ボックス形鋼矢板を用いて構築された止水壁の一部を拡大して示す平面図である。
【図４】止水壁における本ボックス形鋼矢板の配列形態と解体手順とを模式的に示す平面図である。
【図５】仮締切工法による止水壁の全体的な設置態様を示す平面図である。
【図６】従来のボックス形鋼矢板を用いて構築された止水壁の一部を拡大して示す平面図である。
【図７】図６のＰ部拡大平面図である。
【符号の説明】
１    止水壁
２    ダム堤体
５    導枠
６    二重矢板壁
７    コンクリート層
１０、１０Ａ  ボックス形鋼矢板
１２  枠体
１３  仕切板（仕切壁）
２１，２２  二枚重ねの板体
２１ａ，２２ａ  曲げ形状部
２４，２５  補強部材
【図１】
0004543359.tif 000002
【図２】
0004543359.tif 000003
【図３】
0004543359.tif 000004
【図４】
0004543359.tif 000005
【図５】
0004543359.tif 000006
【図６】
0004543359.tif 000007
【図７】
0004543359.tif 000008